(57)【要約】【課題】鏡の設置場所を考慮し、鏡の前に居る人物に対して必要な情報を適切なタイミングで提供する。【解決手段】本発明に係る表示装置（１０１）は、表示装置（１０１）の設置場所と対応付けられた情報に基づいて、人物に応じて生成されたカスタマイズ情報（１７ａ〜１７ｄ）を、表示部（１１）の表示面（１１ａ）における、人物の像を表示する人物領域（１１ｂ）と異なる映像領域（１１ｃ）に表示する。【選択図】図１
2015210508.tif 000002
【特許請求の範囲】
【請求項１】
光の一部が透過し、一部が反射する光透過反射部材を、表示手段の表示面上に重ねて配置した表示装置において、
上記光透過反射部材を透過した人物の像が上記表示面に表示される人物領域を検出する領域検出手段と、
上記人物を特定する人物特定手段と、
表示装置の設置場所と対応付けられた情報から、上記人物特定手段によって特定された人物に応じて生成された情報を、カスタマイズ情報として取得する情報取得手段と、
上記情報取得手段によって取得されたカスタマイズ情報を、上記表示面における、上記領域検出手段によって検出された人物領域と異なる領域に表示させる表示制御手段と、
を備えることを特徴とする表示装置。
【請求項２】
上記表示制御手段は、
上記情報取得手段によって取得されたカスタマイズ情報を、上記表示面における上記人物領域に重ならない領域に表示させることを特徴とする請求項１に記載の表示装置。
【請求項３】
ユーザに指定されたカスタマイズ情報を特定する特定手段を備え、
上記表示制御手段は、
上記特定手段によって特定されたカスタマイズ情報を、上記表示面における上記人物領域に表示させることを特徴とする請求項１または２に記載の表示装置。
【請求項４】
上記人物特定手段によって特定された人物の目線の移動先を検出する目線移動先検出手段をさらに備え、
上記特定手段は、
上記目線移動先検出手段によって検出された人物の目線の移動先に表示されたカスタマイズ情報を特定し、
上記表示制御手段は、
上記特定手段によって特定されたカスタマイズ情報を、上記表示面における上記人物領域に表示させることを特徴とする請求項３に記載の表示装置。
【請求項５】
上記情報取得手段は、
上記カスタマイズ情報を管理する管理サーバから、通信ネットワークを介して、人物に応じたカスタマイズ情報を取得することを特徴とする請求項１〜４の何れか１項に記載の表示装置。
【発明の詳細な説明】
【技術分野】
【０００１】
本発明は、表示装置に関し、特に、表示面において、光の一部を透過し、一部を反射する光透過反射機能を有する表示装置に関する。
【背景技術】
【０００２】
一般に、表示面において、光の一部を透過し、一部を反射する光透過反射機能を有する表示装置、所謂ミラー機能付き表示装置では、表示装置の表示面に表示された情報（画像も含む）は、鏡像とともに映し出される。
【０００３】
例えば、特許文献１には、鏡像に重ならない位置に、ユーザの行動に関する生活情報映像を表示する情報表示装置が開示されている。
【先行技術文献】
【特許文献】
【０００４】
【特許文献１】特開２０１０−１６７９３号公報（２０１０年１月２１日公開）
【発明の概要】
【発明が解決しようとする課題】
【０００５】
ところで、ミラー機能付きの表示装置の設置場所として、洗面台、鏡台、クローゼット、玄関などが考えられ、これら設置場所によって、ユーザの鏡を使用する目的や使用する時間が異なる。このため、ユーザが欲する情報も異なる。例えば洗面台では、洗顔、歯磨き、手洗いを目的とし、使用する時間も比較的長いため、ユーザが欲する情報は、天気予報、交通情報に加えて、ニュース、占い、メールなどほとんど全ての情報が該当し、玄関では、身だしなみのチェックを行うことを目的とし、使用する時間はとても短いため、ユーザが欲する情報は、天気予報、交通情報といった外出時に最低限必要な情報が該当する。
【０００６】
しかしながら、特許文献１では、ユーザの取り得る複数の行動と、これらの行動に関連する映像との関係を示す行動情報を、生活情報映像として、鏡の前に居るユーザに提示しているだけである。つまり、特許文献１では、ユーザの一般的な行動パターンから導き出される一般的な生活情報映像を提示しているだけであり、表示装置の設置場所を考慮して、情報の提供を行っていない。
【０００７】
このように、特許文献１では、表示装置の設置場所を考慮して、情報の提供を行っていないため、表示装置の前に居るユーザにとって必要な情報を適切なタイミングで提供でないという問題が生じる。
【０００８】
本発明は、上記の問題点に鑑みなされたものであって、その目的は、鏡の設置場所を考慮し、鏡の前に居る個人に対して必要な情報を適切なタイミングで提供できる表示装置を提供することにある。
【課題を解決するための手段】
【０００９】
上記の課題を解決するために、本発明の一態様に係る表示装置は、光の一部が透過し、一部が反射する光透過反射部材を、表示手段の表示面上に重ねて配置した表示装置において、上記光透過反射部材を透過した人物の像が上記表示面に表示される人物領域を検出する領域検出手段と、上記人物を特定する人物特定手段と、表示装置の設置場所と対応付けられた情報から、上記人物特定手段によって特定された人物に応じて生成された情報を、カスタマイズ情報として取得する情報取得手段と、上記情報取得手段によって取得されたカスタマイズ情報を、上記表示面における、上記領域検出手段によって検出された人物領域と異なる領域に表示させる表示制御手段と、を備えることを特徴としている。
【発明の効果】
【００１０】
本発明の一態様によれば、ユーザが表示装置の前に立つだけで、表示装置の設置場所に応じた情報であり、かつ、ユーザにとって必要な情報（カスタマイズ情報）を適切なタイミングで取得して表示させることができるという効果を奏する。
【図面の簡単な説明】
【００１１】
【図１】本発明の実施形態１に係る表示装置の概略図である。
【図２】図１に示す表示装置の概略構成ブロック図である。
【図３】図１に示す表示装置における情報表示までの処理の流れを示すフローチャートである。
【図４】（ａ）（ｂ）は、図１に示す表示装置が使用するデータベースを示す図である。
【図５】図１に示す表示装置における表示された情報の処理の流れを示すフローチャートである。
【図６】（ａ）〜（ｃ）は、図１に示す表示装置における表示された情報の処理を説明する図である。
【図７】図１に示す表示装置を備えた表示システムを示す図である。
【図８】本実施形態１の変形例に係る表示装置の概略構成ブロック図である。
【図９】本発明の実施形態２に係る表示装置の概略構成ブロック図である。
【図１０】本発明の実施形態２の変形例に係る表示装置の概略構成ブロック図である。
【図１１】図９，１０に示す表示装置において、発話処理を行う前の状態を示す図である。
【図１２】図９，１０に示す表示装置において、発話処理の流れを示すフローチャートである。
【図１３】図９，１０に示す表示装置における表示された情報の処理の流れを示すフローチャートである。
【図１４】（ａ）〜（ｃ）は、図９，１０１に示す表示装置における表示された情報の処理を説明する図である。
【図１５】本発明の実施形態３に係る表示装置の概略構成ブロック図である。
【図１６】（ａ）（ｂ）は、情報表示の前に発話処理の一例を示す図である。
【図１７】本発明の実施形態４に係る表示装置における、特定された個人の状態検出の一例を示す図である。
【発明を実施するための形態】
【００１２】
〔実施形態１〕
以下、本発明の実施の形態について、詳細に説明する。本実施形態では、ミラー（鏡）として機能する光透過反射部材として、ハーフミラーを例に説明する。
【００１３】
（表示装置の概要）
図１は、本実施形態に係るミラー機能付き表示装置（以下、表示装置と称する）１０１の概要を説明するための図である。
【００１４】
表示装置１０１は、図１に示すように、表示部（表示手段）１１と、表示部１１の表示面１１ａ上に重ねて配置されたハーフミラー（光透過反射部材）１２と、表示部１１の周囲に設けられた、カメラ１３と、マイク１４、スピーカ１５とを備えている。
【００１５】
表示部１１は、映像を表示する表示手段であり、液晶表示パネルからなり、液晶表示パネル以外の、ＥＬ(有機、無機)、ＰＤＰ（Plasma Display Panel）、ＳＥＤ（Surface−conduction Electron−emitter Display）等のＦＰＤ(フラットパネルディスプレイ)であってもよい。
【００１６】
ハーフミラー１２は、光の入射率と反射率とが同じになるように、板ガラス、あるいはアクリルなどの有機ガラスに、反射膜をごく薄く形成し、半透明にして形成された光透過反射部材である。ハーフミラー１２としては、市販されているものを使用することができる。
【００１７】
ハーフミラー１２は、上述のように、表示部１１の表示面１１ａ上に重ねて配置されているので、当該表示面１１ａに表示される映像を透過して映し出し、外部から表示面１１ａに向かって入射される光の一部を反射して鏡像が生成される。これにより、図１に示すように、ハーフミラー１２上で、鏡像１６と、上記表示部１１の表示面１１ａに表示された映像１７ａ〜１７ｄとを擬似的に合成することができる。
【００１８】
図１に示す例では、表示部１１の表示面１１ａにおいて、ハーフミラー１２を透過した人物の像を表示する人物領域１１ｂと、映像１７ａ〜１７ｄを表示する映像領域１１ｃとが重ならないように設定されている。映像領域１１ｃは、表示面１１ａにおける人物領域１１ｂに重ならない位置に設定されるが、表示装置１０１の前に居る人物が認識しやすい位置、すなわち目線の移動量が少ない位置に設定するのが好ましい。つまり、表示面１１ａには、鏡像１６と、各種情報（映像１７ａ〜１７ｄ）とが表示される。なお、映像領域１１ｃに表示されている各種情報が視認することができればよいので、映像領域１１ｃと人物領域１１ｂとが多少重なっていてもよい。
【００１９】
また、上記映像領域１１ｃに表示される映像１７ａ〜１７ｄは、表示装置１０１の前に居る人物、すなわちハーフミラー１２に映し出された鏡像１６の人物に合わせ、且つ表示装置１０１を設置している場所に応じた情報となる。図１では、映像１７ａには「天気予報」が、映像１７ｂには「今日の占い」が、映像１７ｃには「ニュース」が、映像１７ｄには「交通情報」が上記情報として表示されている。なお、上述したように、映像領域１１ｃに表示される情報の選択は、後述するデータベース（図５の（ａ）（ｂ））を参照して行われる。この情報選択の詳細については後述する。
【００２０】
カメラ１３は、表示装置１０１の前に居る人物を撮影するための撮影手段（第１撮影手段、第２撮影手段）であって、表示部１１の表示に寄与しない周縁部の左右に２箇所設けられている。カメラ１３を２箇所設けるのは、表示装置１０１の前に居る人物と表示部１１の表示面１１ａとの間の距離を測定するためである。
【００２１】
また、カメラ１３は、撮像素子として、ＣＣＤ（Charge Coupled Device）、ＣＭＯＳ（Complementary Metal Oxide Semiconductor）等を用いた一般的な小型のデジタルカメラであり、表示装置１０１の前に居る人物を撮影できるものであれば、何でもよい。
【００２２】
さらに、カメラ１３は、表示装置１０１の前に居る人物の目線を検出するように、当該人物の眼球に赤外線を照射して得られる角膜反射像を撮影できるようにもなっている。
【００２３】
さらに、本発明では、表示装置１０１の前に居る人物を特定するための手段（人物特定手段）が必須である。従って、本実施形態では、表示装置１０１の前に居る人物を撮影して、その撮影映像から個人を特定することを行う。従って、上記カメラ１３を用いて、表示装置１０１の前に居る人物を撮影して、この撮影映像を個人特定に用いる。つまり、カメラ１３は、表示装置１０１の前に居る人物の目線を検出するためと、個人を特定するために用いられる。なお、人物の目線を検出するためのカメラ（第１撮影手段）と、個人を特定するためのカメラ（第２撮影手段）とを別々に設けてもよい。
【００２４】
マイク１４は、表示装置１０１の前に居る人物が発する音声を取り込むための手段であり、スマートフォンや携帯電話等に用いられる一般的なマイクで構成されている。また、マイク１４によって取り込まれた音声から個人を特定するようにしてもよい。
【００２５】
スピーカ１５は、表示装置１０１の前に居る人物に対して音声を発する手段であり、スマートフォンや携帯電話等に用いられる一般的なスピーカで構成されている。また、スピーカ１５は、表示装置１０１の前に居る人物に対して必要とされる情報を音声で報知するための手段としても用いられる。例えば、スピーカ１５は、表示部１１の表示面１１ａに表示された映像１７ａ〜１７ｄに対応する情報を音声で発して、表示装置１０１の前に居る人物に報知する。
【００２６】
なお、上記カメラ１３は、ハーフミラー１２の前に居る人物の動きを検出するために用いてもよい。この動き検出の結果は、制御装置２０に入力され、動きに応じたコマンドを実行（ジャスチャ入力処理）するようになっている。例えば、人物の指先を検出し、その動きを検出し、指先が指した位置に表示されているカスタマイズ情報を選択するようにしてもよい。
【００２７】
（表示装置の詳細）
ここで、表示装置１０１の詳細について図２を参照しながら以下に説明する。
【００２８】
表示装置１０１は、図２に示すように、ネットワークを介して管理サーバ２に接続されており、表示部１１、カメラ１３、マイク１４、スピーカ１５、これらを制御する制御装置２０を備えている。
【００２９】
制御装置２０は、情報取得部（情報取得手段）２１、個人特定部（人物特定手段）２２、目線移動先検出部（目線移動先検出手段）２３、人物領域検出部（領域検出手段）２４、表示制御部（表示制御手段）２５、特定部（特定手段）２６を含んでいる。
【００３０】
個人特定部２２は、表示装置１０１の前に居る人物を特定する。具体的には、個人特定部２２は、カメラ１３によって表示装置１０１の前に居る人物を撮影して得られた撮影映像から、人物を特定する。例えば、予め人物の情報（顔画像）を登録しておき、撮影映像が、登録済みの顔画像であるか否かを判定することで、人物（以下、個人と称する）を特定する。この場合、登録済みの顔画像毎にＩＤを付しておくことで、特定した個人のＩＤを、特定した個人の情報として、情報取得部２１に送る。
【００３１】
なお、表示装置１０１の前に居る人物を特定する方法としては、上記のようなカメラ１３を用いた撮像画像を利用する方法の他に、個人が身につけるウェアラブル装置からの情報を取得することによって、個人を特定してもよい。この場合、人物が表示装置１０１の前に居ない状態で当該人物の特定が行われるのを防止するために、表示装置１０１の前に人物が居ること、すなわち、当該人物の鏡像１６がハーフミラー１２に映し出されていることを検出してから、当該人物が身につけたウェアラブル装置からの情報が、表示装置１０１内部の個人特定部２２に送られる。ウェアラブル装置と表示装置１０１との接続は、赤外線通信、WIFI（登録商標）、Bluetooth（登録商標）等の無線通信で行われる。なお、ウェアラブル装置から表示装置１０１への情報の送信は、上記の無線通信の他、有線通信であってもよいし、ネットワークを介して送るようにしてもよい。
【００３２】
また、表示装置１０１の前に居る人物を特定する方法については、上記の２通りの個人特定方法に限定されず、例えば、音声による個人特定方法であってもよい。この場合、表示装置１０１の前に居る人物が、当該表示装置１０１に搭載されたマイク１４に向かって音声を発することにより、マイク１４からの音声信号が制御装置２０内の個人特定部２２に送られ、当該個人特定部２２にて予め登録された音声データと照合して個人が特定される。なお、この場合も、人物が表示装置１０１の前に居ない状態で当該人物の特定が行われるのを防止するために、表示装置１０１の前に人物が居ることを検出してから、音声による個人の特定を行う。
【００３３】
情報取得部２１は、インターネット等の通信ネットワークを介して接続された管理サーバ２から必要な情報を取得する。ここで、必要な情報とは、個人特定部２２によって特定された個人に応じたカスタマイズ情報である。カスタマイズ情報は、表示装置１０１の設置場所毎に予め設定された情報のうち、各個人に応じてカスタマイズされた情報（カスタマイズ情報）である。カスタマズ情報は、例えば図１に示す天気予報、今日の占い、ニュース、交通情報があり、これらのカスタマイズ情報は、表示制御部２５に送られる。
【００３４】
カスタマイズ情報は、個人毎に、且つ表示装置１０１の設置場所毎に設定された情報、例えば図４の（ｂ）に示す「表示する情報」であり、さらに、個人の好みを反映した情報を含んでいてもよい。
【００３５】
人物領域検出部２４は、ハーフミラー１２を透過した人物の像が上記表示面１１ａに表示される領域（人物領域１１ｂ）を検出する。ここでは、２つのカメラ１３により撮影された表示装置１０１の前に居る人物の撮影映像から、表示装置１０１と人物との間の距離を求め、この距離からハーフミラー１２に映し出された鏡像１６の大きさおよび表示位置を求めて、当該表示装置１０１の表示部１１の表示面１１ａに投影される鏡像１６の表示位置を人物領域１１ｂとして検出する方法であってもよい。なお、ハーフミラー１２が鏡台や洗面台に設置された時のように、ハーフミラー１２と人物との距離が予測されるときには、カメラ１３は１つであってもよい。
【００３６】
人物領域検出部２４によって検出された人物領域１１ｂは、表示制御部２５に送られる。
【００３７】
表示制御部２５は、表示部１１の表示面１１ａに表示すべき映像の表示位置を制御する。具体的には、表示制御部２５は、人物領域検出部２４からの人物領域１１ｂの表示位置を特定し、この人物領域１１ｂに重ならない領域（図１では、映像領域１１ｃ）を設定し、この映像領域１１ｃに情報取得部２１が取得したカスタマイズ情報を表示するように表示部１１を制御している。
【００３８】
また、表示制御部２５は、カメラ１３からの撮影映像を所望のサイズに変換して、人物の撮影映像として表示部１１の表示面１１ａの所望する位置に表示させることもできる。
【００３９】
目線移動先検出部２３は、表示装置１０１の前に居る人物の目線の移動した先（目線移動先）が表示部１１の表示面１１ａ内のどこにあるかを検出する。具体的には、目線移動先検出部２３は、カメラ１３によって撮影された表示装置１０１の前に居る人物の眼球の角膜反射像から、当該人物の目線の移動先を検出する。目線移動先検出部２３としては、カメラ１３によって撮影された角膜反射像を用いるほか、人物の目線の移動先を検出できればどのような検出手段であってもよい。検出された目線移動先の情報は、特定部２６に送られる。ここで、検出された目線移動先の情報は、表示面１１ａの座標位置を示す情報であるが、これに限定されるものではなく、表示面１１ａ内の位置が特定できる情報であればどのような情報であってもよい。
【００４０】
特定部２６は、目線移動先検出部２３によって検出された目線移動先に対応する位置のカスタマイズ情報が特定され、この特定されたカスタマイズ情報がどのような情報であるかを判定する。例えば、図１に示す映像領域１１ｃの映像１７ａ〜１７ｄのうち、目線移動先に対応する位置に映像１７ｄがあれば、この映像１７ｄがどのような情報であるかを判定する。図１の場合、映像１７ｄは「交通情報」である。従って、表示装置１０１の前に居る人物の目線移動先は「交通情報」になる。特定部２６によって選択された情報は、表示制御部２５に送られる。
【００４１】
特定部２６は、人物の目線移動先の情報に基づいて情報の特定を行っているが、これに限定されるものではなく、人物の音声やジェスチャに基づいた情報を用いて情報の特定を行ってもよい。
【００４２】
例えば、音声を用いた情報の選択の場合、鏡像１６に対応する人物から例えば「交通情報」と発せられたら、マイク１４が「交通情報」という音声を取り込んで、特定部２６に送る。特定部２６では、既存の音声認識処理を行い、表示装置１０１の前に居る人物によって選択された情報が「交通情報」と判定する。
【００４３】
また、ジェスチャを用いた情報の選択の場合、図示しないジェスチャ認識部にて、鏡像１６に対応する人物をカメラ１３によって撮影した撮影映像から、例えば手先を認識し、認識した手先が指す表示面１１ａの座標位置を取得する。この取得した座標位置を特定部２６に送る。特定部２６では、送られた座標位置から表示面１１ａに表示されている映像１７ａ〜１７ｄの何れかが選択され、選択された映像１７に対応する情報を判定する。例えば、図１に示す映像領域１１ｃの映像１７ａ〜１７ｄのうち、上記座標位置に映像１７ｄがあれば、この映像１７ｄが選択され、この映像１７ｄがどのような情報であるかを判定する。
【００４４】
表示制御部２５は、特定部２６によって特定された情報（図１の映像領域１１ｃに表示された映像１７ａ〜１７ｄの何れか）を、表示装置１０１の前に居る人物が見やすい位置に表示させる。この場合、鏡像１６の表示位置が見やすい位置であると考えられるため、この位置に選択された情報を表示する。なお、選択された情報を表示する際には、既に表示されている鏡像１６を全て覆うような形で表示するのが好ましい。選択された情報の表示処理についての詳細は後述する。
【００４５】
（情報表示までの処理）
表示装置１０１の前に人物の鏡像が映し出された後、必要な情報（カスタマイズ情報）が表示される前の処理の流れについて、図３に示すフローチャートを参照しながら以下に説明する。
【００４６】
まず、鏡像の表示領域の検出を行う（ステップＳ１１）。ここでは、制御装置２０の人物領域検出部２４によって、ハーフミラー１２に結像される人物の像の表示領域を検出する。具体的には、図１に示す人物領域１１ｂを検出する。鏡像１６の表示領域の検出方法については、上述した方法により行う。
【００４７】
次に、個人の特定を行う（ステップＳ１２）。ここでは、制御装置２０の個人特定部２２によって、表示装置１０１の前に居る人物を特定する。個人の特定方法については、上述した方法により行う。
【００４８】
続いて、個人に合わせた情報（カスタマイズ情報）の取得を行う（ステップＳ１３）。ここでは、制御装置２０の情報取得部２１によって、表示装置１０１の前に居る人物に合わせた情報を、管理サーバ２から取得する。
【００４９】
最後に、取得したカスタマイズ情報の表示を行う（ステップＳ１４）。ここでは、制御装置２０の表示制御部２５によって、ステップＳ１１において検出された鏡像１６の表示位置、すなわち図１の人物領域１１ｂに重ならない位置に、情報の表示位置となる映像領域１１ｃを設定し、この映像領域１１ｃに取得した情報を表示させる。
【００５０】
（データベース）
続いて、上記ステップＳ１３において取得する情報について、図４の（ａ）（ｂ）に示すデータベースを参照しながら以下に説明する。
【００５１】
取得する情報（表示装置１０１に表示するカスタマイズ情報）は、表示装置１０１の設置場所毎に異なる。これは、図４の（ａ）に示すように、表示装置１０１を設置した場所によって、目的、時間・シーン、鏡像、鏡の前に居る時間が異なるためである。
【００５２】
例えば表示装置１０１の設置場所が、洗面台であれば、その目的は洗顔、歯磨き、手洗いである。そして、洗面台を使用する時間・シーンについてもだいたい決まっており、起床時、就寝前となる。また、洗面台に設置された表示装置１０１の鏡像も胸から上、主に顔であり、鏡の前に居る時間も比較的長い。従って、洗面台に設置された表示装置１０１には、図４の（ｂ）に示すように、ニュース、天気予報、交通情報、占い、メース、ＳＮＳ（Social Network Service）等、基本的に全情報が表示される。但し、時間によって、表示しない情報もある。
【００５３】
表示装置１０１の他の設置場所においても、図４の（ａ）（ｂ）に示すように、目的、時間・シーン、鏡像、鏡の前に居る時間に応じて、表示する情報が異なる。
【００５４】
図４の（ａ）（ｂ）に示すデータベースは、個人毎に設定されている。個人を識別するためのＩＤをデータベースに付すことで、特定した個人のＩＤから、当該個人に応じたカスタマイズ情報を取得することが可能となる。つまり、表示装置１０１において、個人特定部２２によって個人が特定され、情報取得部２１によって特定された個人のＩＤから、対応するデータベースを管理サーバ２から読み出すことで、個人に応じたカスタマイズ情報を取得することが可能となる。ここで、個人に対応するデータベースとは、個人に関連する情報（性別、生年月日、好きな色、趣味等）に合わせて、例えば図４の（ｂ）に示す「表示する情報」を設定したデータベースである。図４の（ｂ）に示す「表示する情報」だけでなく、図４の（ａ）に示す項目を個人に関連する情報に合わせて設定してもよい。
【００５５】
このように、表示装置１０１の設置場所に応じて、特定した個人毎に登録されたデータベースから必要な情報を取得することができるので、表示装置１０１の前に居る人物に対して、必要とするカスタマイズ情報を適切なタイミングで提供できる。
【００５６】
ここまでの説明では、表示装置１０１の前に居る人物に対するカスタマイズ情報を表示するまでの処理について説明したが、以下では、表示されたカスタマイズ情報の処理について説明する。
【００５７】
（表示されたカスタマイズ情報の処理）
続いて、図１に示すように、鏡像１６と映像１７とが表示された状態で、鏡像１６に対応する人物による映像１７の選択処理について、図５に示すフローチャートおよび図６を参照しながら以下に説明する。ここでは、人物の目線移動先による情報の選択処理について説明する。
【００５８】
まず、表示装置１０１の前に居る人物の目線移動先検出を行う（ステップＳ２１）。ここでは、目線移動先検出部２３によって、表示装置１０１の前に居る人物の眼球の角膜反射像から、目線移動先を検出する。
【００５９】
次に、検出された目線移動先での目線が同じ位置で所定時間経過か否かを判定する（ステップＳ２２）。ここでは、特定部２６によって、検出された目線移動先が移動しない時間（人物が注視している時間）が所定時間経過したか否かを判定する。所定時間経過せずに、目線移動先が移動した場合（ステップＳ２２のＮｏ）には、再度ステップＳ２１にて、目線移動先検出部２３による目線移動先検出を行う。一方、所定時間経過した場合（ステップＳ２２のＹｅｓ）には、人物がある映像を選択したとみなして、ステップＳ２３に移行して、表示制御部２５は、特定部２６によって特定したカスタマイズ情報の表示領域を、人物の像の表示領域と交換する。
【００６０】
例えば図６の（ａ）は、目線移動先が映像１７ｄと検出され、当該映像１７ｄが選択された例を示している。この例では、検出先の映像１７ｄを他の映像１７ａ〜１７ｃと区別するために、太枠に変更している。
【００６１】
そして、選択された映像１７ｄから目線移動先が所定時間移動しなかった場合、図６の（ｂ）に示すように、映像１７ｄに表示されている交通情報を見やすい位置、すなわち鏡像１６の表示位置に拡大して映像１７ｄ’として表示する。このとき、鏡像１６の代わりに、表示装置１０１の前に居る人物をカメラ１３で撮影した撮影映像１６’を元の映像１７ｄが表示された位置に表示する。
【００６２】
同様にして、他の映像１７ａ〜１７ｃの何れかに目線移動先が移動した場合も、移動先の映像が見やすい位置に表示される。
【００６３】
また、目線移動先を撮影映像１６’に移動させると、図６の（ｃ）に示すように、撮影映像１６’が選択されたことを示すリング１８が表示され、この状態で所定時間経過すると、再び、図６の（ａ）に示すように、鏡像１６が表示される。
【００６４】
上記の処理を繰り返すことで、表示装置１０１の前に居る人物は、自分の姿を確認しながら、必要な情報を見やすい位置で確認することができる。
【００６５】
（クラウド化による効果）
表示装置１０１は、上述したように、家庭内の様々な場所に設置される。各設置場所に設置された表示装置１０１は、それぞれ通信ネットワークを介し管理サーバ２に接続されている。図７は、家庭内の複数の表示装置１０１と管理サーバ２とで構成される表示システムの概要を示す図である。
【００６６】
表示装置１０１は、家庭内で使用されることを前提として、洗面台、鏡台、姿見、玄関、お風呂場に設置されるものとする。なお、設置場所についてこれらに限定されるものではない。図７では、設置場所毎の表示装置１０１を区別するために便宜上、符号ａ〜ｅを追加している。すなわち、洗面台では表示装置１０１ａ、鏡台では表示装置１０１ｂ、姿見では表示装置１０１ｃ、玄関では表示装置１０１ｄ、お風呂場では表示装置１０１ｅとしている。また、各設置場所の表示装置１０１ａ〜表示装置１０１ｅは、図７に示すように、ネットワークを介して管理サーバ２に接続され、管理サーバ２から必要な情報を取得し、保存すべき情報を送信している。
【００６７】
管理サーバ２には、図１に示す表示装置１０１に表示されている映像１７として表示すべき情報が格納されている。なお、管理サーバ２は、管理している情報のうち、上述したように、天気予報、今日の占い、ニュース、交通情報などの即時性が必要な情報を、ネットワーク（インターネット）を介して外部から定期的に取得するようになっている。取得した情報は、管理サーバ２内のデータベース（図４の（ａ）（ｂ））の各設置場所の表示装置１０１に対応する項目に紐付けられ、送信要求のあった設置場所の表示装置１０１に送信される。
【００６８】
上記構成の表示システムにおいて、各表示装置１０１は、共通の管理サーバ２に接続されているため、共通の情報を表示することが可能である。この場合の共通の情報とは、例えば図４の（ｂ）に示す「表示する情報」では、表示装置１０１の設置場所がお風呂場を除いて、天気予報、交通情報である。つまり、起床から出勤までの間に、個人が見ていく表示装置１０１全てに、天気予報、交通情報を表示しておくことができる。これにより、ユーザは、確認すべき情報を、起床から出勤までの間の何れかで確認することができるので、情報の確認のし忘れを防止することができる。
【００６９】
なお、表示装置１０１全てに共通の情報が表示されているので、ユーザは、各情報をどの時点で確認したか、あるいは未だ確認していないかを把握することができない。
【００７０】
そこで、表示部１１の表示面１１ａに表示された情報（映像１７）が、表示装置１０１の前に居る人物によって選択されたか否かを示すために、例えば選択された情報の表示色を、選択された情報と異なる表示色（例えばグレー）にすることで、ユーザは、各情報をどの時点で確認したか、あるいは未だ確認していないかを把握することができる。
【００７１】
さらに、未確認の情報のうち、特に、ユーザにとって重要である情報（出勤時であれば「交通情報」）を強調表示する等してユーザが認識しやすいようにしてもよい。
【００７２】
（変形例）
（表示装置の詳細）
図８は、情報取得部２１が取得する情報の取得先を装置内部に設けられた管理情報記憶部３とした表示装置１０２の概略を示すブロック図である。
【００７３】
表示装置１０２は、基本的に、図３に示す表示装置１０１と同じ構成であるが、表示部１１の表示面１１ａに表示する情報の取得先を管理サーバ２から管理情報記憶部３に変更されている。
【００７４】
管理情報記憶部３は、管理サーバ２に格納された情報と同じ情報を格納しておけば、表示装置１０２は、図３に示す表示装置１０１と同じ機能を実行できる。但し、管理情報記憶部３においては、ほとんどの情報に関しては、予め登録するだけでよいが、即時性のある情報（天気予報、交通情報等）については対応していない。なお、即時性のある情報は、管理情報記憶部３をインターネット等のネットワークに接続することで取得する。
【００７５】
上記構成の表示装置１０２は、設置場所が１箇所であり、且つ、即時性の情報もほとんど不要である場合に有効である。
【００７６】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００７７】
（表示装置の詳細）
図９は、本実施形態に係る表示装置１０３の概略を示すブロック図である。
【００７８】
表示装置１０３は、図３に示す表示装置１０１に対して、情報の音声による出力を行うための音声認識処理部２７、音声認識データベース２８が新たに追加されている。
【００７９】
音声認識処理部２７は、特定部２６によって特定された情報を音声データに変換し、変換した音声データをスピーカ１５に送る。スピーカ１５からは、音声により情報が出力される。
【００８０】
音声認識処理部２７は、表示制御部２５が表示部１１の表示面１１ａに表示されている情報を音声データとしてスピーカ１５に出力する。ここで、音声認識処理部２７は、表示面１１ａに情報を表示するタイミングに合わせて音声データをスピーカ１５に出力するか、あるいは表示面１１ａに情報を表示するタイミングよりも遅いタイミングで音声データをスピーカ１５に出力する。
【００８１】
音声認識処理部２７は、情報を音声で出力するための処理を行うだけでなく、マイク１４から入力される音声データを認識し、認識した音声データに対応するコマンドを特定部２６に出力する。コマンドは、音声認識データベース２８において、音声データに対応付けられて格納されている。ここで、コマンドは情報を選択するためのコマンドである。つまり、マイク１４から入力された音声データを認識し、認識した音声データに対応するコマンドを音声認識データベース２８から読み出して、特定部２６に送ることで、当該特定部２６は、送られたコマンドに対応する情報を選択する。なお、音声認識処理部２７と音声認識データベース２８は、いずれかまたは両方がインターネット等のネットワークに接続することで参照できるように構成してもよい。
【００８２】
図９に示す表示装置１０３は、特定部２６によって選択する情報の取得先は、管理サーバ２である。前記実施形態１と同様に、情報の取得先は、図１０に示すように、管理情報記憶部３を用いた表示装置１０４であってもよい。
【００８３】
（情報発話までの処理）
図１１は、表示装置１０３（１０４）の前に人物の鏡像が映し出され状態を示す図であり、情報が取得された後もこの状態（情報が表示されず、鏡像１６のみが表示されている状態）である。この点が前記実施形態１の図１と異なる点である。
【００８４】
情報が発話される前の処理の流れについて、図１２に示すフローチャートを参照しながら以下に説明する。
【００８５】
まず、個人の特定を行う（ステップＳ３１）。ここでは、制御装置２０の個人特定部２２によって、表示装置１０３の前に居る人物を特定する。個人の特定方法については、前記実施形態１と同様の方法で行うため、詳細な説明は省略する。
【００８６】
続いて、個人に合わせた情報の取得を行う（ステップＳ３２）。ここでは、制御装置２０の情報取得部２１によって、表示装置１０３の前に居る人物に合わせた情報を、管理サーバ２から取得する。
【００８７】
最後に、取得した情報の音声出力を行う（ステップＳ３３）。ここでは、制御装置２０の音声認識処理部２７によって、ステップＳ３２において取得した情報を音声データに変換して、スピーカ１５から発話する。
【００８８】
このように、情報を表示する代わりに発話することで、鏡像１６と情報との重なりを考慮するための処理を行う必要がなくなる。また、ユーザは、鏡像１６に集中することができるため、本来の目的を達成しながら、必要な情報を聞くことができる。
【００８９】
（表示された情報の処理）
続いて、図１１に示すように、鏡像１６が表示された状態で、鏡像１６に対応する人物による情報の選択処理について、図１３に示すフローチャートおよび図１４を参照しながら以下に説明する。ここでは、人物の音声による情報の選択処理について説明する。
【００９０】
まず、表示装置１０３の前に居る人物の音声指示の認識を行う（ステップＳ４１）。ここでは、音声認識処理部２７によって、表示装置１０１の前に居る人物がマイク１４に向かって発話した音声データから、音声指示の内容を認識する。この内容は、情報の選択指示である。
【００９１】
次に、認識された指示により情報を表示する（ステップＳ４２）。ここでは、音声認識処理部２７によって認識された音声指示の内容を受け取った特定部２６によって選択された情報を表示部１１の表示面１１ａに表示する。この情報表示に伴って、鏡像１６をカメラ１３により撮影された撮影映像１６’に変換して、撮影映像１６’を情報の表示位置と異なる位置に表示する。
【００９２】
続いて、表示装置１０３の前に居る人物の目線移動先検出を行う（ステップＳ４３）。ここでは、目線移動先検出部２３によって、表示装置１０３の前に居る人物の眼球の角膜反射像から、目線移動先を検出する。
【００９３】
次に、検出された目線移動先での目線が同じ位置で所定時間経過か否かを判定する（ステップＳ４４）。ここでは、特定部２６によって、検出された目線移動先が移動しない時間（人物が注視している時間）が所定時間経過したか否かを判定する。所定時間経過せずに、目線移動先が移動した場合（ステップＳ４４のＮｏ）には、再度ステップＳ４３にて、目線移動先検出部２３による目線移動先検出を行う。一方、所定時間経過した場合（ステップＳ４４のＹｅｓ）には、人物がある映像を選択したとみなして、ステップＳ４５に移行して、表示制御部２５は、特定部２６によって特定した映像の表示領域を、鏡像１６の表示領域と交換する。
【００９４】
例えば図１４の（ａ）に示すように、表示部１１に鏡像１６のみが表示された状態であり、個人が特定され、情報の取得が終わった状態から、鏡像１６に対応する人物、すなわち表示装置１０３の前に居る人物が「交通情報」とマイク１４に向かって発話すると、図１４の（ｂ）に示すように、交通情報を示す映像１７が鏡像１６の表示位置に表示され、代わりに、表示装置１０３の前に居る人物をカメラ１３で撮影した撮影映像１６’が、映像１７の表示位置と異なる位置に表示される。他の情報を表示させる場合も同様の操作を行う。
【００９５】
図１４の（ｂ）の状態で、表示装置１０３の前に居る人物の目線移動先を撮影映像１６’に移動させて、所定時間経過すると、再び、図１４の（ａ）に示すように、鏡像１６が表示される。
【００９６】
上記の処理を繰り返すことで、表示装置１０３の前に居る人物は、自分の姿を確認しながら、必要な情報を見やすい位置で確認することができる。
【００９７】
本実施形態では、表示部１１の表示面１１ａに表示された情報を、音声コマンドにより選択し、表示装置１０３、１０４を発話させる例について説明したが、以下の実施形態３では、表示装置の前に居る人物に対して、表示装置側から発話する例について説明する。
【００９８】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００９９】
（表示装置の詳細）
図１５は、本実施形態に係る表示装置１０５の概略を示すブロック図である。
【０１００】
表示装置１０５は、前記実施形態２の図９に示す表示装置１０３とほぼ同じであり、音声認識データベース２８の代わりに、発話用データベース２９を備えている点で異なる。
【０１０１】
本実施形態では、表示装置１０５の前に人物が立つことをトリガにして、当該人物に表示装置１０５から発話する点について説明する。具体的には、個人特定部２２によって表示装置１０５の前に居る人物を特定することで、特定した人物に合わせた内容（人物に応じてカスタマイズされた情報）を表示装置１０５のスピーカ１５から発話する。
【０１０２】
発話用データベース２９には、前記実施形態２で説明した音声データに対応するコマンドが対応付けられて格納されているだけでなく、表示装置１０５の前に居る人物を特定した状態で、特定した人物に対して発話する発話内容が格納されている。例えば洗面台に設置された表示装置１０３の場合、時間が７時であれば、表示装置１０３の前に居る特定された人物に対して「おはようございます。天気は晴れです。」をスピーカ１５から発話するようにする。この発話内容は、表示装置１０３の設置場所、時間、特定された人物等に合わせて、変更できるように、データベース化して発話用データベース２９に格納しておく。
【０１０３】
また、表示装置１０５から発話するのではなく、当該表示装置１０５の前に居る人物が発話した内容に返答するようにしてもよい。例えば、表示装置１０５の前に居る人物が、「今日の天気は？」と発話すると、この発話内容に対応する「今日は晴れです」という返答を当該表示装置１０３からスピーカ１５から発話するようにしてもよい。この場合、音声認識処理部２７は、情報取得部２１が取得した天気予報に関する情報を参照することで、「今日は晴れです」という返答を行っている。
【０１０４】
なお、表示装置１０５においても、表示装置１０３と同様に、特定した個人に合わせた情報を表示部１１の表示面１１ａに表示しているが、これら情報の表示の前に、表示装置１０５の前に居る人物に対して発話したり、人物から発話したりしてもよい。
【０１０５】
（情報表示の前に発話処理の一例）
図１６の（ａ）は、発話前の鏡像を表示した例を示し、図１６の（ｂ）は、（ａ）の鏡像に過去の撮影映像を重ね合わせて表示した例を示している。なお、管理サーバ２には、各個人を撮影した映像を日時に対応付けて保存しており、指定された日時の個人の撮影映像を表示装置１０５に送信する。
【０１０６】
表示装置１０５は、図１６の（ａ）に示すように、人物が表示部１１の前に来ると、個人特定部２２によって人物が特定され、このタイミングで、音声認識処理部２７によって「最近ふとった？」という内容の音声データがスピーカ１５を経て当該人物に「最近ふとった？」と発話する。
【０１０７】
これに対して、上記人物が「そうかな？」とマイク１４に向かって発話すると、音声認識処理部２７は、上記マイク１４から「そうかな？」という音声データを受け取り、この音声データに対応するコマンドを発話用データベース２９から読み出し、読み出したコマンドを情報取得部２１に出力する。情報取得部２１は、上記コマンドから管理サーバ２に管理されている当該人物の過去の撮影映像を読み出し、過去の撮影映像を表示制御部２５に出力して、表示部１１において鏡像１６に重ねて表示させる。図１６の（ｂ）は、現在の鏡像１６に、読み出した過去の撮影映像１１６を重ねた状態を示す図である。ここで、鏡像１６と比較するために読み出す撮影映像１１６は、現在から１ヶ月以上前の撮影映像であるのが好ましい。これは、１日や２日で体型はそれほど変化しないが、１ヶ月前、あるいはそれ以上前であれば、体型が変化している可能性が高いためである。
【０１０８】
また、読み出す過去の撮影映像１１６は、１時点のものだけでなく、複数の時点（例えば１ヶ月前、３ヶ月前、６ヶ月前、１年前）の撮影映像１１６を重ねてもよいし、鏡像１６と重ならない表示面１１ａの位置に並べて表示するようにしてもよい。これにより、鏡像１６の本人が、過去の自分の撮影映像から自分の体型が変化している様子を容易に確認できる。
【０１０９】
以下の実施形態４では、さらに、表示装置１０５の前に居る人物を特定し、特定した人物の撮影映像から、当該人物の状態、例えば髪型、表情、服の色、帽子の有無等を検出して、この個人の状態に応じた情報を提供する例について説明する。
【０１１０】
〔実施形態４〕
本発明の他の実施形態について説明すれば、以下のとおりである。なお、本実施形態に係る表示装置として、前記実施形態１の表示装置１０１（１０２）、実施形態２の表示装置１０３（１０４）の何れも用いることができるため、表示装置１０１を例に説明する。
【０１１１】
（特定された個人の状態検出の一例）
図２に示す個人特定部２２は、表示装置１０１の前に居る人物の特定が完了した時点で、さらに、個人の特定に用いたカメラ１３の撮影映像から、当該人物の状態を検出する。ここで人物の状態とは、上述したように、髪型、顔の表情、服の色、帽子の有無等である。
【０１１２】
例えば人物の髪型を検出する場合、表示装置１０１の前の人物に回転してもらい、図１７の（ａ）に示す正面の鏡像１６を映し出したときにカメラ１３によって撮影し、図１７の（ｂ）に示す背面の鏡像１６を映し出したときにカメラ１３によって撮影する。ここで、人物の正面、背面の判断は、画像認識により実行している。画像認識の結果、顔があれば、正面、顔がなければ、背面であるというように判断している。
【０１１３】
このように、表示装置１０１の前に居る人物が回転して得られた撮影映像（正面、背面）から、当該人物の髪型を検出する。これにより、検出した髪型から、人物の髪の乱れの有無を当該人物に知らせることができる。髪の正面については実際に見て判断できるが、髪の後ろは自分で確認し難いため、上記のような報知は有効である。
【０１１４】
この報知方法としては、表示部１１の表示面１１ａの鏡像１６と重ならない位置、例えば映像領域１１ｃに「髪の状態」として表示してもよいし、あるいは、前記実施形態２や３と同様に、髪の状態として、例えば「後ろ髪が乱れています」と音声で報知するようにしてもよい。
【０１１５】
また、特定された個人の状態として、顔の表情、服の色、帽子の有無等についても個人特定部２２によって検出され、「髪の状態」の報知と同様の方法によって、人物に報知するようにすればよい。
【０１１６】
（個人の状態に応じた情報の提示）
特定された個人の状態が検出されれば、検出された状態に合わせた情報を、表示部１１の前に居る人物に提示するようにしてもよい。
【０１１７】
例えば、特定された個人の状態として顔の表情が検出された場合、顔の表情から疲れの度合いを示す情報を上記人物に提示するようにしてもよい。この場合、顔の映像を解析することで、肌の張りやたるみ、しわや、目の下のくまの有無などを総合的に判断して、疲れ度合いを算出する。
【０１１８】
また、特定された個人の状態として服の色が検出された場合、検出した服の色から連想される情報を上記人物に提示するようにしてもよい。この場合の連想される情報としては、例えば服の色に基づいた占いを挙げることができる。
【０１１９】
さらに、特定された個人の状態として服の色、帽子の有無が検出されたとき、服の色と、帽子の有無とにおけるコーディネートが適切であるか否かを示すアドバイス情報を上記人物に提示するようにしてもよい。
【０１２０】
また、特定された個人の状態として帽子の無が検出されたとき、当日の天気予報から、日差しが強く、紫外線量も多いと予測されるときには、その旨を伝えるとともに、帽子を被るように指示する情報を上記人物に提示するようにしてもよい。
【０１２１】
以上の各実施形態において、表示装置１０１〜１０５では、ミラー機能を実現するための手段としてハーフミラー１２を用いているが、ミラー機能を実現するための手段としてはハーフミラー１２に限定されるものではない。ハーフミラー１２は、光の透過率と光の反射率とが等しいが、光の透過率と光の反射率とが異なる光透過反射部材であってもよい。
【０１２２】
〔ソフトウェアによる実現例〕
表示装置１０１〜１０５の制御ブロック（制御装置２０）は、集積回路（ＩＣチップ）等に形成された論理回路（ハードウェア）によって実現してもよいし、ＣＰＵ（Central Processing Unit）を用いてソフトウェアによって実現してもよい。
【０１２３】
後者の場合、制御装置２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２４】
〔まとめ〕
本発明の態様１に係る表示装置は、光の一部が透過し、一部が反射する光透過反射部材（ハーフミラー１２）を、表示手段（表示部１１）の表示面１１ａ上に重ねて配置した表示装置において、上記光透過反射部材（ハーフミラー１２）を透過した人物の像１６が上記表示面１１ａに表示される領域（人物領域１１ｂ）を検出する領域検出手段（人物領域検出部２４）と、上記人物を特定する人物特定手段（個人特定部２２）と、表示装置の設置場所と対応付けられた情報から、上記人物特定手段（個人特定部２２）によって特定された人物に応じて生成された情報を、カスタマイズ情報として取得する情報取得手段（情報取得部２１）と、上記情報取得手段（情報取得部２１）によって取得されたカスタマイズ情報を、上記表示面１１ａにおける、上記領域検出手段（人物領域検出部２４）によって検出された領域（人物領域１１ｂ）と異なる領域（映像領域１１ｃ）に表示させる表示制御手段（表示制御部２５）と、を備えることを特徴としている。
【０１２５】
上記の構成によれば、表示制御手段によって、表示装置の設置場所と対応付けられた情報から、人物に応じて生成された情報を、カスタマイズ情報として取得し、取得したカスタマイズ情報を、表示面における、光透過反射部材を透過した人物の像が表示される領域と異なる領域に表示させることで、表示装置の前に居るユーザは、光透過反射部材に映された自分の鏡像を確認しながら、カスタマイズ情報を確認することが可能となる。
【０１２６】
ここで、カスタマイズ情報とは、ミラー機能付き表示装置の設置場所（洗面台、鏡台、姿見、玄関、お風呂場等の家庭内でミラー機能付き表示装置の設置が想定される場所）毎に紐付けられた各種情報をいう。例えば、設置場所の一つである洗面台に紐付けられた情報として、利用時間・利用シーン、鏡像、鏡の前に居る時間を考慮したニュース、天気予報、交通情報、占い、メールなどの情報を挙げることができる。
【０１２７】
従って、上記構成の表示装置によれば、表示装置の設置場所を考慮し、表示装置の前に居る人物に対して必要な情報を適切なタイミングで取得できるので、ユーザが表示装置の前に立つだけで、ユーザにとって必要な情報を適切なタイミングで取得して表示させることができるという効果を奏する。
【０１２８】
本発明の態様２に係る表示装置は、上記態様１において、上記表示制御手段（表示制御部２５）は、上記情報取得手段（情報取得部２１）によって取得されたカスタマイズ情報を、上記表示面１１ａにおける、上記領域検出手段（人物領域検出部２４）によって検出された領域（人物領域１１ｂ）に重ならない領域（映像領域１１ｃ）に表示させることが好ましい。
【０１２９】
上記構成によれば、上記情報取得手段によって取得された個人に合わせた情報を、上記表示手段の表示面における、上記人物の鏡像に重ならない位置に表示させることで、個人に合わせた情報と鏡像とが確実に分離して表示されることになる。これにより、表示手段に表示された個人に合わせた情報の確認がしやすくなる。
【０１３０】
本発明の態様３に係る表示装置は、上記態様１または２において、ユーザに指定されたカスタマイズ情報を特定する特定手段（特定部２６）を備え、上記表示制御手段（表示制御部２５）は、上記特定手段（特定部２６）によって特定されたカスタマイズ情報を、上記表示面１１ａにおける上記人物領域（表示部１１）に表示させてもよい。
【０１３１】
上記の構成によれば、個人に合わせた情報のうち、選択された情報を、人物の鏡像の表示位置に表示させることで、ユーザは、必要な情報を容易に確認することができる。
【０１３２】
本発明の態様４に係る表示装置は、上記態様３において、上記人物特定手段（個人特定部２２）によって特定された人物を、上記光透過反射部材（ハーフミラー１２）側から撮影する第１撮影手段（カメラ１３）を備え、上記表示制御手段（表示制御部２５）は、上記特定手段（特定部２６）によって特定されたと判定されたカスタマイズ情報を、上記領域検出手段（人物領域検出部２４）によって検出された領域（人物領域１１ｂ）に表示させるとともに、上記第１撮影手段（カメラ１３）によって撮影された人物の映像を、上記表示面１１ａにおける、上記領域検出手段（人物領域検出部２４）によって検出された領域（人物領域１１ｂ）以外の領域に表示させてもよい。
【０１３３】
上記の構成によれば、個人に応じたカスタマイズ情報のうち、特定されたカスタマイズ情報が、人物の鏡像が表示されていた領域に表示されることで、当該特定されたカスタマイズ情報がユーザにとって見やすい位置に表示されることになる。さらに、元の個人の鏡像が撮影映像として選択された情報の表示位置と異なる位置に表示されるので、選択された情報を確認しながら、自分の撮影映像も見ることができる。
【０１３４】
本発明の態様５に係る表示装置は、上記態様３または４において、上記人物特定手段（個人特定部２２）によって特定された人物の目線の移動先を検出する目線移動先検出手段（目線移動先検出部２３）をさらに備え、上記特定手段（特定部２６）は、上記目線移動先検出手段（目線移動先検出部２３）によって検出された人物の目線の移動先が、上記表示面１１ａに表示されたカスタマイズ情報の一つであるとき、当該カスタマイズ情報が特定されたと判定し、上記表示制御手段（表示制御部２５）は、上記特定手段（特定部２６）によって特定されたと判定されたカスタマイズ情報を、上記表示面１１ａにおける、上記領域検出手段（人物領域検出部２４）によって検出された領域（人物領域１１ｂ）に表示させてもよい。
【０１３５】
上記構成によれば、表示装置の前に居る人物の目線の移動先を検出することで、表示手段に表示された個人に応じたカスタマイズ情報の何れかが特定されていることが判定することができる。つまり、ユーザは、自分の鏡像を確認しながら、目線を移動させるだけで、自分に合わせた情報を特定し、当該情報を確認することができる。
【０１３６】
本発明の態様６に係る表示装置は、上記態様１〜５の何れか１態様において、上記光透過反射部材（ハーフミラー１２）の前に居る人物を撮影する第２撮影手段（カメラ１３）をさらに備え、上記人物特定手段（個人特定部２２）は、上記第２撮影手段（カメラ１３）によって撮影された人物の撮影映像から、人物を特定してもよい。
【０１３７】
これにより、表示装置に搭載されているカメラで個人の特定を行うことが可能となる。
【０１３８】
本発明の態様７に係る表示装置は、上記態様１〜５の何れか１態様において、上記人物特定手段（個人特定部２２）は、人物を特定する情報を格納したウェアラブル装置から取得した情報によって人物を特定することが好ましい。
【０１３９】
これにより、個人の特定にウェアラブル装置が使用されることで、撮影映像による個人の特定よりも確実に個人を特定することができる。
【０１４０】
本発明の態様８に係る表示装置は、上記態様１〜７の何れか１態様において、上記情報取得手段（情報取得部２１）は、上記カスタマイズ情報を管理している管理サーバ２から、通信ネットワークを介して、人物に応じたカスタマイズ情報を取得するのが好ましい。
【０１４１】
これにより、同一の管理サーバ２に接続されている表示装置同士は、同一の情報を共有することができるので、ユーザは、同一管理サーバ２に接続されている表示装置であれば、どの表示装置を利用しても同じ情報を得ることができる。
【０１４２】
従って、同一の管理サーバ２に接続されている表示装置を、例えば家庭内において、ユーザが起床して出勤するまでの間に使用するであろう、洗面台、鏡台、姿に、玄関に表示装置を設置すれば、ユーザは、起床して出勤するまでの間に同じ情報を確認し続けることができる。
【０１４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１４４】
本発明は、鏡としてのユーザの使用目的や使用時間が異なる場所に設置されるミラー機能付きの表示装置、特に家庭内の各場所に設置されるミラー機能付き表示装置に利用することができる。
【符号の説明】
【０１４５】
２  管理サーバ
３  管理情報記憶部
１１  表示部（表示手段）
１１ａ  表示面
１１ｂ  人物領域
１１ｃ  映像領域
１２  ハーフミラー（光透過反射部材）
１３  カメラ（第１撮影手段、第２撮影手段）
１４  マイク
１５  スピーカ
１６  鏡像
１６’  撮影映像
１７  映像（情報）
１８  リング
２０  制御装置
２１  情報取得部（情報取得手段）
２２  個人特定部（人物特定手段）
２３  目線移動先検出部（目線移動先検出手段）
２４  人物領域検出部（領域検出手段）
２５  表示制御部（表示制御手段）
２６  特定部（特定手段）
２７  音声認識処理部
２８  音声認識データベース
２９  発話用データベース
１０１〜１０５  表示装置
１１６  撮影映像
【図１】
2015210508.tif 000003
【図２】
2015210508.tif 000004
【図３】
2015210508.tif 000005
【図４】
2015210508.tif 000006
【図５】
2015210508.tif 000007
【図６】
2015210508.tif 000008
【図７】
2015210508.tif 000009
【図８】
2015210508.tif 000010
【図９】
2015210508.tif 000011
【図１０】
2015210508.tif 000012
【図１１】
2015210508.tif 000013
【図１２】
2015210508.tif 000014
【図１３】
2015210508.tif 000015
【図１４】
2015210508.tif 000016
【図１５】
2015210508.tif 000017
【図１６】
2015210508.tif 000018
【図１７】
2015210508.tif 000019